(57)【要約】【課題】電源として第２の二次電池を有する機器の上記第２の二次電池を充電可能であると共に外部回線と通信可能な第１の通信回路を備えた充電装置、若しくは、その充電装置と上記機器とを備えた充電システムにおいて、商用電源からの電力を変換する際のロスを減少させて消費電力を低減すること。【解決手段】二次電池５の電池残量が閾値以上で、子機８０がセットされていないときは、第１スイッチ１１をＯＦＦして商用電源から電源回路４への電力供給を停止する。このため、その電源回路４における電力変換に伴うロスをほぼ０にして消費電力を低減することができる。このとき、通信回路３は二次電池５により駆動される。二次電池５の電池残量が閾値未満のときは、第１スイッチ１１がＯＮされることによって、上記商用電源から上記電源回路４を経由した通信回路３，二次電池５への電力供給が即座に可能となる。【選択図】図１
2011115027.tif 000002
【特許請求の範囲】
【請求項１】
外部回線と通信可能な第１の通信回路と、
電力を蓄積し、その蓄積された電力を上記第１の通信回路に供給する第１の二次電池と、
上記第１の二次電池の電池残量を検出する第１電池残量検出部と、
電源として第２の二次電池を有する機器と少なくとも電気的に結合可能で、該結合された上記機器の上記第２の二次電池に充電を行う充電部と、
商用電源からの電力を変換して、上記第１の通信回路，上記充電部，及び上記第１の二次電池に供給する電源回路と、
上記商用電源から上記電源回路への電力供給を制御する電力供給制御部と、
を備え、
上記電力供給制御部は、上記第１電池残量検出部が上記第１の通信回路の駆動に必要な電池残量を検出した場合、上記電力供給を停止するように制御し、上記第１電池残量検出部が上記第１の通信回路の駆動に必要な電池残量を検出していない場合、上記電力供給を行うように制御することを特徴とする充電装置。
【請求項２】
上記第１の二次電池から上記第１の通信回路への電力供給を制御する通信系電力供給制御部を、
更に備え、
上記通信系電力供給制御部は、上記第１電池残量検出部が上記第１の通信回路の駆動に必要な電池残量を検出していない場合、上記電力供給を停止するように制御することを特徴とする請求項１記載の充電装置。
【請求項３】
上記電源回路から上記充電部への電力供給を制御する充電系電力制御部と、
上記機器と上記充電部とが電気的に結合しているか否かを検出する結合検出部と、
上記機器の上記第２の二次電池の電池残量を検出する第２電池残量検出部と、
を備え、
上記第１の二次電池は上記電源回路を介して上記充電部に電力を供給可能であり、
上記結合検出部が上記結合していることを検出し、かつ、上記第２電池残量検出部が検出した電池残量が所定の閾値未満の場合、上記充電系電力制御部及び上記電力供給制御部は、それぞれ上記電力供給を行うように制御することを特徴とする請求項１または２記載の充電装置。
【請求項４】
請求項３記載の充電装置と、その充電装置の上記充電部に結合可能な上記機器とを備えた充電システムであって、
上記機器は、上記第２の二次電池の電池残量に関する情報を上記第１の通信回路に送信可能な第２の通信回路を備え、
上記第２電池残量検出部は、上記第１の通信回路によって兼ねられ、上記第２の通信回路からの上記第２の二次電池の電池残量に関する情報を取得することによって上記第２の二次電池の電池残量を検出することを特徴とする充電システム。
【発明の詳細な説明】
【技術分野】
【０００１】
本発明は、電源として二次電池を有する機器が電気的に結合されることによって上記二次電池を充電可能な充電装置に関し、詳しくは、外部回線と通信可能な通信回路も備えた充電装置、及び、その充電装置と上記機器とを備えた充電システムに関する。
【背景技術】
【０００２】
従来より、この種の充電装置として、二次電池の一例としてのバッテリーを有するハンドセット（機器の一例）をセット可能で、自身も通信回路の一例としての通話回路を備えたベースセットが提案されている（例えば、特許文献１参照）。
【０００３】
このベースセットは、ハンドセットがセットされたとき、自身が備えた一次コイルに交流電流を通電することでハンドセットが備えた二次コイルを介してハンドセットのバッテリーを充電する。また、このベースセットでは、商用交流電源から供給される交流電流を電源回路で整流して上記通話回路や上記一次コイルに通電しているが、上記バッテリーの充電の必要がないときは上記電源回路から上記一次コイルへの電力供給を停止している。
【先行技術文献】
【特許文献】
【０００４】
【特許文献１】特開２０００−８３３２６号公報
【発明の概要】
【発明が解決しようとする課題】
【０００５】
ところが、電源として二次電池を有する機器の上記二次電池を充電可能であると共に上記通話回路のような通信回路を備えた充電装置では、上記二次電池を充電する必要がない場合でも上記通話回路には通電し続ける必要がある。特許文献１の装置のように商用電源からの電力を変換して上記通話回路に供給していると、その変換時のロスによって無駄に電力を消費してしまう場合があった。
【０００６】
そこで、本発明は、電源として二次電池を有する機器の上記二次電池を充電可能であると共に外部回線と通信可能な通信回路を備えた充電装置、若しくは、その充電装置と上記機器とを備えた充電システムにおいて、商用電源からの電力を変換する際のロスを減少させて消費電力を低減することを目的としてなされた。
【課題を解決するための手段】
【０００７】
上記目的を達するためになされた本発明の充電装置は、外部回線と通信可能な第１の通信回路と、電力を蓄積し、その蓄積された電力を上記第１の通信回路に供給する第１の二次電池と、上記第１の二次電池の電池残量を検出する第１電池残量検出部と、電源として第２の二次電池を有する機器と少なくとも電気的に結合可能で、該結合された上記機器の上記第２の二次電池に充電を行う充電部と、商用電源からの電力を変換して、上記第１の通信回路，上記充電部，及び上記第１の二次電池に供給する電源回路と、上記商用電源から上記電源回路への電力供給を制御する電力供給制御部と、を備え、上記電力供給制御部は、上記第１電池残量検出部が上記第１の通信回路の駆動に必要な電池残量を検出した場合、上記電力供給を停止するように制御し、上記第１電池残量検出部が上記第１の通信回路の駆動に必要な電池残量を検出していない場合、上記電力供給を行うように制御することを特徴としている。
【０００８】
このように構成された本発明の充電装置では、充電部は、電源として第２の二次電池を有する機器と少なくとも電気的に結合可能で、その結合された機器の上記第２の二次電池に充電を行う。また、第１の通信回路は、外部回線と通信を行うことができる。この第１の通信回路には、第１の二次電池に蓄積された電力が供給され、第１電池残量検出部はその第１の二次電池の電池残量を検出する。
【０００９】
また、充電装置に備えられた電源回路は、商用電源からの電力を変換して、上記第１の通信回路，上記充電部，及び上記第１の二次電池に供給する。すなわち、上記第１の通信回路は、上記電源回路，上記第１の二次電池のいずれからでも電力の供給を受けることができる。
【００１０】
上記商用電源から上記電源回路への電力供給は電力供給制御部によって制御されており、この電力供給制御部は、上記第１電池残量検出部の検出結果に基づいて、上記電力供給を次のように制御する。すなわち、上記第１電池残量検出部が上記第１の通信回路の駆動に必要な電池残量を検出した場合、上記電力供給制御部は、上記商用電源から上記電源回路への電力供給を停止するように制御する。このため、上記第１の二次電池の電池残量が十分であるときは、上記商用電源から上記電源回路への電力供給を停止することによって電力変換に伴うロスをほぼ０にして、充電装置の消費電力を良好に低減することができる。なお、この場合は、上記第１の通信回路は上記第１の二次電池から供給される電力によって十分に外部回線との通信を行うことができる。
【００１１】
また、上記第１電池残量検出部が上記第１の通信回路の駆動に必要な電池残量を検出していない場合は、上記電力供給制御部は、上記商用電源から上記電源回路への電力供給を行うように制御する。このため、上記第１の通信回路及び上記第１の二次電池への電力供給が即座に可能となり、上記第１の通信回路は、上記商用電源から上記電源回路を介して供給される電力によって上記外部回線との通信を行うことができる。また、上記第１の二次電池は、上記商用電源から上記電源回路を介して供給される電力を蓄積する。
【００１２】
なお、本発明の充電装置は、上記第１の二次電池から上記第１の通信回路への電力供給を制御する通信系電力供給制御部を、更に備え、上記通信系電力供給制御部は、上記第１電池残量検出部が上記第１の通信回路の駆動に必要な電池残量を検出していない場合、上記電力供給を停止するように制御してもよい。
【００１３】
この場合、通信系電力供給制御部は、上記第１の二次電池から上記第１の通信回路への電力供給を制御する。そして、上記第１電池残量検出部が上記第１の通信回路の駆動に必要な電池残量を検出していない場合、上記通信系電力供給制御部は、上記第１の二次電池から上記第１の通信回路への電力供給を停止するように制御する。このため、上記第１の通信回路の駆動に必要な電池残量が上記第１の二次電池に無くなったとき、その第１の二次電池から上記第１の通信回路へ電力が流れ出るのを防止して、上記第１の二次電池に電力を効率的に蓄積することができる。このため、上記第１の二次電池の無駄な充放電を抑制し、その第１の二次電池の寿命を長くすることができる。
【００１４】
また、本発明の充電装置は、上記電源回路から上記充電部への電力供給を制御する充電系電力制御部と、上記機器と上記充電部とが電気的に結合しているか否かを検出する結合検出部と、上記機器の上記第２の二次電池の電池残量を検出する第２電池残量検出部と、を備え、上記第１の二次電池は上記電源回路を介して上記充電部に電力を供給可能であり、上記結合検出部が上記結合していることを検出し、かつ、上記第２電池残量検出部が検出した電池残量が所定の閾値未満の場合、上記充電系電力制御部及び上記電力供給制御部は、それぞれ上記電力供給を行うように制御してもよい。
【００１５】
この場合、充電系電力制御部は、上記電源回路から上記充電部への電力供給を制御する。また、結合検出部は、上記機器と上記充電部とが電気的に結合しているか否かを検出する。更に、第２電池残量検出部は、上記機器の上記第２の二次電池の電池残量を検出する。そして、上記結合検出部が上記結合していることを検出し、かつ、上記第２電池残量検出部が検出した電池残量が所定の閾値未満の場合、上記電力供給制御部は上記商用電源から上記電源回路への電力供給を行うように制御し、上記充電系電力制御部は上記電源回路から上記充電部への電力供給を行うように制御する。このため、上記第２の二次電池の電池残量が減少した上記機器に対する上記二次電池の充電を、良好に行うことができる。また、この場合、上記第１の二次電池から上記充電部に電力が供給されるのを抑制することができ、延いては、上記第１の二次電池の無駄な充放電を抑制してその第１の二次電池の寿命を長くすることができる。
【００１６】
また、本発明の充電システムは、上記第２電池残量検出部を備えた上記充電装置と、その充電装置の上記充電部に結合可能な上記機器とを備えた充電システムであって、上記機器は、上記第２の二次電池の電池残量に関する情報を上記第１の通信回路に送信可能な第２の通信回路を備え、上記第２電池残量検出部は、上記第１の通信回路によって兼ねられ、上記第２の通信回路からの上記第２の二次電池の電池残量に関する情報を取得することによって上記第２の二次電池の電池残量を検出することを特徴としている。
【００１７】
このように構成された本発明の充電システムでは、上記機器に備えられた第２の通信回路は、上記第２の二次電池の電池残量に関する情報を上記充電装置の上記第１の通信回路に送信し、上記第１の通信回路は、上記第２の通信回路からの上記第２の二次電池の電池残量に関する情報を取得することによって上記第２電池残量検出部として機能する。このため、本発明の充電システムでは、上記第２電池残量検出部を備えた上記充電装置と同様の効果に加えて、上記第１の通信回路が上記第２電池残量検出部を兼ねるため、構成を一層簡略化することができるといった効果が生じる。
【図面の簡単な説明】
【００１８】
【図１】第１の実施の形態の電話機の構成を表すブロック図である。
【図２】その電話機における処理を表すフローチャートである。
【図３】第２の実施の形態の電話機の構成を表すブロック図である。
【図４】その電話機における処理を表すフローチャートである。
【図５】第３の実施の形態の電話機の構成を表すブロック図である。
【図６】その電話機における処理を表すフローチャートである。
【発明を実施するための形態】
【００１９】
［第１の実施の形態の構成］
次に、本発明の実施の形態を図面と共に説明する。図１は、本発明が適用された充電システムの一例としての電話機の構成を表すブロック図である。なお、本実施の形態の電話機は充電装置の一例としての充電台１と、機器の一例としての子機８０とを備えて構成されている。
【００２０】
図１に示すように、充電台１は、プラグ２を介して図示省略した商用交流電源と接続して使用されるもので、内部には、次のような通信回路３（第１の通信回路，第２電池残量検出部の一例），電源回路４，二次電池５（第１の二次電池の一例），電圧モニタ６（第１電池残量検出部の一例），一次コイル７（充電部の一例），発振部８，ＲＯＭ９，ＣＰＵ１０を備えている。通信回路３は、外部回線の一例としての電話回線と通信可能な周知のもので、電源回路４によって所定電圧の直流電流に整流された電力が供給される。また、この通信回路３は、二次電池５に蓄積された電力（直流電圧）も供給され、いずれの電力によっても動作可能である。二次電池５には、電源回路４によって上記所定電圧の直流電流に整流された電力が供給されて蓄電され、電圧モニタ６は、その二次電池５の電池残量に対応する電圧を検出してＣＰＵ１０に入力している。
【００２１】
発振部８は、電源回路４によって上記所定電圧の直流電流に整流された電力を供給され、その電力を交流に変換して一次コイル７に通電する。更に、ＣＰＵ１０も、通信回路３と同様に、電源回路４，二次電池５のいずれからも電力の供給を受けることができ、ＲＯＭ９に記憶されたプログラムに基づいて後述の処理を実行する。
【００２２】
また、充電台１は、プラグ２から電源回路４に至る通電経路に設けられた第１スイッチ１１と、電源回路４から発振部８に至る通電経路に設けられた第２スイッチ１２とを備えている。これらの第１スイッチ１１，第２スイッチ１２は、ＣＰＵ１０によってＯＮ／ＯＦＦが制御され、第１スイッチ１１とＣＰＵ１０とが電力供給制御部に、第２スイッチ１２とＣＰＵ１０とが充電系電力制御部に、それぞれ相当する。更に、充電台１は、子機８０に設けられた後述の永久磁石８１が近接するとＯＮし、その永久磁石８１が離間するとＯＦＦする第５スイッチ１５（結合検出部の一例）も備えており、そのＯＮ／ＯＦＦ状態もＣＰＵ１０に入力されている。
【００２３】
子機８０は、全体としてハンドセット状に構成されており、前述の永久磁石８１の他、次のような通信回路８２，二次電池８３（第２の二次電池の一例），電圧モニタ８４（第２電池残量検出部の一例），電源回路８５，二次コイル８６を備えている。子機８０を充電台１の予め規定された位置にセット（以下、単にセットという）すると、二次コイル８６は一次コイル７と対向配置され、永久磁石８１は第５スイッチ１５と対向配置される。このため、充電台１に子機８０がセットされると、第５スイッチ１５がＯＮし、その状態で一次コイル７に前述のように交流電流が通電されると、二次コイル８６にも交流電流が誘起される。
【００２４】
二次コイル８６に誘起された交流電流は、電源回路８５によって所定電圧の直流電流に整流されて二次電池８３に充電され、二次電池８３に蓄えられた電力は、電源回路８５を介して通信回路８２に供給される。通信回路８２は、その電力を利用して充電台１の通信回路３と無線通信を行う。また、二次電池８３の電池残量に対応する電圧は電圧モニタ８４によって検出され、その検出結果は通信回路８２を介して通信回路３へ送信される。
【００２５】
［第１の実施の形態における処理及びその効果］
図２は、ＣＰＵ１０がＲＯＭ９に記憶されたプログラムに基づいて定期的に実行する処理を表すフローチャートである。なお、充電台１の購入時には、二次電池５の電池残量がＣＰＵ１０の起動に必要なだけ残っていない場合もあるが、出荷時には第１スイッチ１１がＯＮとされており、上記商用交流電源から電源回路４を介してＣＰＵ１０に供給される電力により本処理が実行可能となる。また、出荷時に第１スイッチ１１，第２スイッチ１２が共にＯＮとされていると、充電台１に子機８０がセットされていなくても一次コイル７に電力が供給されてしまうので、出荷時には第２スイッチ１２がＯＦＦとされている。
【００２６】
図２に示すように、この処理では、先ずＳ１（Ｓはステップを表す：以下同様）にて、電圧モニタ６が検出している電圧値が取得される。続くＳ２では、その電圧値に基づいて、二次電池５の電池残量が閾値以上であるか否かが判断され、閾値未満の場合は（Ｓ２：Ｎ）、Ｓ３にて第１スイッチ１１がＯＮされた後、閾値以上の場合は（Ｓ２：Ｙ）、Ｓ４にて第１スイッチ１１がＯＦＦされた後、それぞれ処理はＳ５へ移行する。なお、上記閾値は、通信回路３の駆動に必要な電池残量として予め設定された所定値である。
【００２７】
Ｓ５では、第５スイッチ１５のＯＮ／ＯＦＦ状態に基づき、子機８０が当該充電台１にセットされているか否かが判断される。子機８０がセットされていない場合は（Ｓ５：Ｎ）、処理は前述のＳ１へ移行して、Ｓ１〜Ｓ５の処理が繰り返し実行される。このＳ１〜Ｓ５の処理により、二次電池５の電池残量が上記閾値以上に維持される。すなわち、二次電池５の電池残量が上記閾値未満の場合は（Ｓ２：Ｎ）、上記商用電源から第１スイッチ１１，電源回路４を介して二次電池５の充電がなされ（Ｓ３）、上記電池残量が上記閾値以上となると（Ｓ２：Ｙ）、第１スイッチ１１がＯＦＦされる（Ｓ４）。
【００２８】
一方、子機８０がセットされている場合は（Ｓ５：Ｙ）、処理はＳ６へ移行し、第２スイッチ１２がＯＮされる。すると、その時点で第１スイッチ１１がＯＮであれば、上記商用交流電源から電源回路４を介して発振部８に供給される電力により、一次コイル７に交流電流が通電され、それによって子機８０の二次電池８３が充電される。また、その時点で第１スイッチ１１がＯＦＦの場合は（Ｓ４参照）、二次電池５に蓄積された電力が電源回路４を介して発振部８に供給される。
【００２９】
Ｓ６に続くＳ７では、子機８０の二次電池８３の電池残量が閾値（例えば、通信回路８２の駆動に必要な電池残量）以上であるか否かが、通信回路３による通信回路８２との通信を介して判断される。そして、二次電池８３の電池残量が閾値未満の場合は（Ｓ７：Ｎ）、Ｓ８にて第１スイッチ１１がＯＮされ、処理はＳ７へ戻る。すると、このＳ７，Ｓ８の処理が繰り返される間に、二次電池８３は上記商用交流電源から電源回路４を介して発振部８に供給される電力によって効率的に充電される。
【００３０】
一方、Ｓ７にて二次電池８３の電池残量が閾値以上であると判断されると（Ｓ７：Ｙ）、Ｓ１０にて第２スイッチ１２がＯＦＦされ、Ｓ１１にて第１スイッチ１１がＯＮされた後、処理が一旦終了する。すると、続いて処理はＳ１から再開される。
【００３１】
このように、本実施の形態では、二次電池５の電池残量が閾値以上で（Ｓ２：Ｙ）、子機８０がセットされていないときは（Ｓ５：Ｎ）、第１スイッチ１１をＯＦＦして上記商用電源から電源回路４への電力供給を停止する（Ｓ４）。このため、その電源回路４における電力変換に伴うロスをほぼ０にして消費電力を低減することができる。なお、この場合は、通信回路３は二次電池５から供給される電力によって十分に上記外部回線や子機８０との通信を行うことができる。一般的に、電源回路４の変換効率よりも二次電池５の充電効率の方が優れているので、本実施の形態の電話機では良好に消費電力を低減することができる。
【００３２】
また、二次電池５の電池残量が閾値未満のときは（Ｓ２：Ｎ）、第１スイッチ１１がＯＮされることによって（Ｓ３）、上記商用電源から上記電源回路４を経由した通信回路３，二次電池５への電力供給が即座に可能となる。このため、通信回路３は、上記商用電源から電源回路４を介して供給される電力によって上記外部回線との通信を行うことができる。また、二次電池５は、上記商用電源から電源回路４を介して供給される電力を蓄積する。従って、二次電池５の電池残量減少時にも通信等に支障が生じない。
【００３３】
更に、本実施の形態では、第５スイッチ１５を介して子機８０がセットされていることが検出され（Ｓ５：Ｙ）、かつ、二次電池５の電池残量が閾値未満の場合（Ｓ７：Ｎ）、第１スイッチ１１，第２スイッチ１２が共にＯＮされる（Ｓ６，Ｓ８）。このため、子機８０の二次電池８３の充電を良好に行うことができる。また、第１スイッチ１１がＯＮされることにより二次電池５から発振部８に電力が供給されるのを抑制することができ、延いては、二次電池５の無駄な充放電を抑制してその二次電池５の寿命を長くすることができる。しかも、本実施の形態では、通信回路３を介して二次電池８３の電池残量を検出しているので、当該電池残量を検出するための構成を別途設ける必要がなく、構成を一層簡略化することができる。
【００３４】
［第２の実施の形態］
次に、図３は、本発明が適用された第２の実施の形態としての電話機の構成を表すブロック図である。なお、本実施の形態は、子機８０の構成は上記第１の実施の形態と同様で、充電台１０１の構成が以下のように異なるので、相違点についてのみ説明する。
【００３５】
図３に示すように、充電台１０１は、二次電池５から通信回路３に至る通電経路に第３スイッチ１３を備え、二次電池５からＣＰＵ１０に至る通信経路に第４スイッチ１４を備えた点において充電台１と異なり、他は同様に構成されている。なお、これらの第３スイッチ１３，第４スイッチ１４も、ＣＰＵ１０によってＯＮ／ＯＦＦが制御され、第３スイッチ１３とＣＰＵ１０とが通信系電力供給制御部に相当する。
【００３６】
次に、図４は、この第２の実施の形態においてＣＰＵ１０が実行する処理を表すフローチャートである。この処理は、第１の実施の形態における処理と以下の点が異なるのみであるので、相違点についてのみ説明する。なお、本実施の形態では、出荷時には第１スイッチ１１，第３スイッチ１３，第４スイッチ１４の全てがＯＮとされ、第２スイッチ１２がＯＦＦとされている。
【００３７】
図４に示すように、この処理では、Ｓ３に代わるＳ２０３にて、第１スイッチ１１が第１の実施の形態と同様にＯＮされると共に、第３スイッチ１３，第４スイッチ１４が共にＯＦＦされる。逆に、Ｓ４に代わるＳ２０４では、第１スイッチ１１が第１の実施の形態と同様にＯＦＦされると共に、第３スイッチ１３，第４スイッチ１４が共にＯＮされる。また、二次電池８３の電池残量が閾値未満となって（Ｓ７：Ｎ）、Ｓ８にて第１スイッチがＯＮされた後は、Ｓ２０９にて第３スイッチ１３，第４スイッチ１４が共にＯＦＦされてから処理がＳ７へ移行する。逆に、二次電池８３の電池残量が閾値以上となって（Ｓ７：Ｙ）、Ｓ１０にて第２スイッチ１２がＯＦＦされ、Ｓ１１にて第１スイッチ１１がＯＮされた後は、Ｓ２１２にて第３スイッチ１３，第４スイッチ１４が共にＯＮされてから処理が一旦終了する。
【００３８】
本実施の形態では、二次電池５または８３の電池残量が閾値未満となって（Ｓ２：ＮまたはＳ７：Ｎ）、その二次電池５または８３を充電するために第１スイッチ１１がＯＮされたときには（Ｓ２０３，Ｓ８）、第３スイッチ１３，第４スイッチ１４をＯＦＦすることができる（Ｓ２０３，Ｓ２０９）。このため、本実施の形態では、上記のように第１スイッチ１１がＯＮされたときは上記商用電源からの電力のみを利用して通信回路３やＣＰＵ１０が駆動される。従って、本実施の形態では、二次電池５から通信回路３やＣＰＵ１０に電力が流れ出るのを抑制することができ、延いては、二次電池５の無駄な充放電を抑制してその二次電池５の寿命を一層長くすることができる。なお、本実施の形態において、第３スイッチ１３，第４スイッチ１４がＯＮされているときの動作は、上記第１の実施の形態と同様である。
【００３９】
［第３の実施の形態］
次に、図５は、本発明が適用された第３の実施の形態としての電話機の構成を表すブロック図である。なお、本実施の形態は、充電台２０１，子機２８０の構成が以下のように第２の実施の形態と異なり、他は第２の実施の形態と同様に構成されているので、相違点についてのみ説明する。
【００４０】
図５に示すように、子機２８０は、電圧モニタ８４を有さず、代わりに、電源回路８５を介して二次電池８３の充電がなされる際に電流が通電されて磁力を発生する電磁石８７を備えている。また、充電台２０１の第２スイッチ１２は、子機２８０がセットされたときに電磁石８７と対向する位置に設けられた磁気スイッチによって構成され、充電台２０１にセットされた子機２８０の電磁石８７が発生する磁力によってＯＮの状態に維持される。また、第２スイッチ１２（本実施の形態では第２電池残量検出部の一例）は、ＣＰＵ１０によって一時的にＯＮすることができるが、電磁石８７に磁力が発生していないときはすぐにＯＦＦの状態に戻る構成となっている。更に、第２スイッチ１２のＯＮ／ＯＦＦ状態はＣＰＵ１０に入力されている。
【００４１】
次に、図６は、この第３の実施の形態においてＣＰＵ１０が実行する処理を表すフローチャートである。この処理は、第２の実施の形態における処理と以下の点が異なるのみであるので、相違点についてのみ説明する。なお、本実施の形態でも、出荷時には第１スイッチ１１，第３スイッチ１３，第４スイッチ１４の全てがＯＮとされ、第２スイッチ１２がＯＦＦとされている。
【００４２】
図６に示すように、この処理では、Ｓ７に代わるＳ３０７にて、第２スイッチ１２がＯＦＦであるか否かが判断される。すなわち、Ｓ６にて前述のように第２スイッチ１２が一時的にＯＮされると、二次電池８３がフル状態でなければ、二次電池５から電源回路４を介して発振部８に電力が供給されることにより、子機２８０の二次電池８３が電源回路８５を介して充電される。このため、その充電中は電磁石８７が磁力を発生し、第２スイッチ１２がＯＮの状態に維持される（Ｓ３０７：Ｎ）。一方、二次電池８３がフル状態の場合は、電磁石８７に電流が流れず、その電磁石８７が磁力を発生しないため、第２スイッチ１２はすぐにＯＦＦの状態に戻る（Ｓ３０７：Ｙ）。
【００４３】
そこで、本実施の形態では、ＣＰＵ１０は第２スイッチ１２のＯＮ／ＯＦＦ状態を判断することにより（Ｓ３０７）、前述のＳ７で行っていた二次電池８３の電池残量の判断に代えているのである。また、このため、本実施の形態では、Ｓ１０の処理は省略することができる。そして、このように構成された本実施の形態でも、上記第２の実施の形態と同様の作用・効果が生じる。
【００４４】
［他の実施の形態］
なお、本発明は上記各実施の形態に何等限定されるものではなく、本発明の要旨を逸脱しない範囲で種々の形態で実施することができる。例えば、商用電源からの電力を変換する電源回路は、商用電源が直流電源の場合はＤＣ−ＤＣコンバータ等でもあってもよい。また、結合検出部の構成としても種々の形態が考えられ、一次コイル７のインダクタンスや機械的接点により子機の８０の有無を検出してもよい。更に、充電部は、機器（例えば子機８０）の表面に露出した接点に機械的に接触する接点を介して充電を行うものであってもよい。また更に、本発明は、電話機に限らず、例えばテレビのリモコン、無線ＬＡＮを有する携帯ゲーム機等、種々の充電システムに適用することができる。
【符号の説明】
【００４５】
１，１０１，２０１…充電台    ２…プラグ              ３，８２…通信回路
４，８５…電源回路            ５，８３…二次電池      ６，８４…電圧モニタ
７…一次コイル                ８…発振部              １０…ＣＰＵ
１１…第１スイッチ            １２…第２スイッチ      １３…第３スイッチ
１４…第４スイッチ            １５…第５スイッチ      ８０，２８０…子機
８１…永久磁石                ８６…二次コイル        ８７…電磁石
【図１】
2011115027.tif 000003
【図２】
2011115027.tif 000004
【図３】
2011115027.tif 000005
【図４】
2011115027.tif 000006
【図５】
2011115027.tif 000007
【図６】
2011115027.tif 000008